(57)【要約】  本発明は野外で簡便に用いることができる使い捨て焼き器セットに関するもので、消費者が別途の加熱手段を用意することなく肉類や魚介類等の食べ物を簡便に焼いて食べることができるように、断熱コーティングされた紙材質のケース内部に炭と焼き板及び炭に火を付けることができる固体燃料を保管して、使用時に簡便に取り出して用いるようにした使い捨て焼き器セットであり、構造が簡単、かつ、製作が容易で、ケースが紙材料からなり、竈の支持板は金属からなり、竈と焼き板は薄板のアルミニウムからなるので廃棄する時分別及びリサイクルが容易にできる使い捨て焼き器セットを提供する。
2016525430.tif 000002
【特許請求の範囲】
【請求項１】
内部中央部に竈が載せられることができるように上部に突出された突出部の中央部に竈挿入孔が形成された竈支持台と、
前記竈支持台に形成された竈挿入孔に挿入されて固定され、内部下端に上側に折曲されて突出部が形成され、この突出部に上面全体に所定間隔に空気が移動することができるように貫通孔が形成された支持板が挿入され、支持板の上部には炭が内蔵される竈と、
前記竈が内蔵された竈支持台の上部に載せられて組み立てられる焼き板と、を有する使い捨て焼き器セットであって、
上面に切取線が形成されて切り取ることができるようになった定置部と、両側面の前後に空気流入孔が形成され、内部に保管部が形成され、前面に折り畳んで組立てるように開閉部が形成された紙材料からなるケースと、
前記ケースの内部に挿入され、中央部に定置溝を形成して固体燃料を保管している固体燃料収納筒が挿入されるようになった固体燃料支持台と、
前記竈が内蔵された竈支持台の上部に載せられて組み立てられ、固体燃料支持台と竈また炭と固体燃料収納筒及び竈支持台と一緒にケースの内部に形成された保管部に挿入して保管されてから引き出されて、ケースの上部に形成された切取線を切り取ってなる定置部に定置して組み立てる焼き板と、をさらに含むことを特徴とする使い捨て焼き器セット。
【請求項２】
前記ケースは紙材料からなり、保管部には熱を遮断または反射する断熱材をコーティングしてなることを特徴とする請求項１に記載の使い捨て焼き器セット。
【請求項３】
前記焼き板は、中央部は塞がれて、周縁部には突出部と貫通する長孔を形成し、長孔を上側から下側に押圧して形成することにより長孔の底面にリブが形成されるようにして焼き板の強度が補強されたことを特徴とする請求項１に記載の使い捨て焼き器セット。
【発明の詳細な説明】
【技術分野】
【０００１】
本発明は野外で簡便に用いることができる使い捨て焼き器セットに関するもので、消費者が別途の加熱手段を備えなくても、肉類や魚介類等の食べ物を簡便に焼いて食べることができる使い捨て焼き器セットに関するものである。
【背景技術】
【０００２】
今日、生活レベルが向上するにつれて野外でキャンピングを楽しむ人口が急激に増加しつつある。自動車を利用したオートキャンピングも漸次に拡散している。
従って、野外で肉や魚貝類を簡便に焼いて食べることができる多様な焼き器が開発されている。
【０００３】
従来用いられた焼き方法として、主に携帯用ガスレンジを利用した方法と、炭火を立てた後焼き網をおいて用いる方法と、着火炭を利用した方法等が用いられている。
【０００４】
前者の携帯用電子レンジを利用した方法は携帯用ガスレンジの上部に焼き板を置いて用いる方法で、ガスを利用するので、火力の調節が簡単で、且つ使用が便利な長所がある。
【０００５】
しかしながら、上記の方法は携帯用ガスレンジとブタンガス燃料及び焼き板を用意しなければならず、また、使用後には掃除及び保管をしなければならないため不便であるという短所がある。
【０００６】
上記炭火焼きは燃料である炭と炭を盛ることができる焼き器と焼網を備えなければならないため、炭火焼き器自体の嵩が大きくなり、コストが高価で、また炭火を点火しにくく、使用中に焼き物の脂肪及び味付け等が炭火に落ちて不完全燃焼されながら、人体に有害な煙がたくさん発生するという欠点があり、使用後には洗浄、及び保管が煩雑であるという問題点がある。
【０００７】
後者の着火炭を利用した方法も焼き器と焼き板及び着火炭を全部使用者が購入しなければならないため不便であるという短所があり、炭火焼き器と同じく煩雑な問題点がある。特に、着火炭は製造過程で化学成分が含まれていて、焼く時、焼き物の脂肪や味付け等が着火炭に落ちて不完全燃焼しながら、人体に致命的に有害な発ガン物質であるベンゾピレン等の化学物質を生成することが知られている。
【０００８】
上記のような従来の方法は基本的に焼き物ができる焼き器、熱を供給することができる燃料、焼き物を支える焼き板と、を必ず揃えて有していなければならず、非常に不便であるという問題点がある。
また、従来には焼き器を使った後全部洗浄をしてから保管しなければならないため、作業時間が長くかかり、不便な問題点がある。
【０００９】
一方、最近には上記のような問題点を解決するために使い捨て炭火焼き器（大韓民国実用新案登録第２０−０４０１７９８号（２００６年１１月２２日公告））及び使い捨て炭火焼き器セット（大韓民国公開実用新案公報第２０−２００８−０００６４０９号（２００８年１２月１９日公開））が案出された。
【００１０】
上記前者の使い捨て炭火焼き器は、上部に網状構造の焼き板が定置され、一つ以上の吸気孔が設けられた耐火性材質のケースに炭が収容され、上記ケースに収容された炭が着火して燃焼しながら焼き板に安置された肉類を加熱して焼くように構成され、上記ケースの上部周縁は段差構造を成し、この段差構造の上部周縁には網状構造の焼き板が定置され、上記網状構造の焼き板が定置された段差構造の上部辺縁は内側に折り畳まれて網状構造の焼き板の周縁を囲んで固定するように構成された。
【００１１】
しかしながら、上記炭火焼き器は使い捨てであることから便利な效果はあるが、焼き板が網状になっていて、焼き板に肉類を置いて加熱する場合、肉類で発生する油が炭火に落ちて灰と煙が発生する短所があり、それにより、人体に有害な煤と灰が肉類に付いて衛生上不潔な問題点がある。
また、上記方法は、ケースの内部に盛られている炭に火を付けにくくて、作業時間が長くなる問題点がある。
【先行技術文献】
【特許文献】
【００１２】
【特許文献１】大韓民国登録実用新案第２０−０４０１７９８号（２００６年１１月２２日公告）
【特許文献２】大韓民国公開実用新案公報第２０−２００８−０００６４０９号（２００８年１２月１９日公開）
【発明の概要】
【発明が解決しようとする課題】
【００１３】
本発明の目的は上記のような問題点を解決するためのもので、使い捨て焼き器に入っている炭を容易に着火することにある。
本発明の他の目的は、使い捨て炭火焼き器で肉類を加熱する時、煙が発生しないようにすることにある。
本発明のさらに他の目的は、焼き板の強度を補強することができるようにすることにある。
【課題を解決するための手段】
【００１４】
上記の課題を解決するための手段を説明すれば次の通りである。
【００１５】
上面に切取線２が形成されて切り取ることができるようになった定置部１５と、両側面の前後に空気流入孔５が形成され、内部に保管部４が形成され、前面に折り畳んで組み立てるように開閉部３が形成された紙からなるケース１と、上記ケース１の内部に挿入され、中央部に定置溝６を形成し、固体燃料を保管している固体燃料収納筒８が挿入されるようになった固体燃料支持台７と、上記固体燃料支持台７の上部に載せられて組み立てられ、ケース１の内部に保管され、内部中央部に竈１１が置かれることができるように上部に突出された突出部の中央部に竈挿入孔１０が形成された竈支持台９、上記竈支持台９に形成された竈挿入孔１０に挿入されて固定され、内部下端に上側に折曲されて突出部が形成され、この突出部に上面全体に所定間隔に空気が移動することができるように貫通孔が形成された支持板１２が挿入され、支持板１２の上部には炭１３が内蔵される竈１１と、上記竈１１が内蔵された竈支持台９の上部に載せられて組み立てられ、竈支持台９と一緒にケース１の内部に形成された保管部４に挿入保管され、竈支持台９と一緒に引き出されてケース１の上部に形成された切取線２を切り取ってなった定置部１５に定置して組み立てる焼き板１４とが含まれることを特徴とする。
【００１６】
上記ケース１は紙材で構成され、保管部４には熱を遮断または反射する断熱材をコーティングしてもよい。
【００１７】
上記焼き板１４は、中央部は塞がれ、周縁部には突出部と貫通する長孔１７を形成し、長孔１７を上側から下側に押圧して形成することにより長孔１７の底面にリブ１８が形成されるようにして、焼き板１４の強度を補強することがようにすることを特徴とする。
本発明の実施例でケース１の内部に補助炭を別途に追加してもよい。
【発明の効果】
【００１８】
上記のように、本発明は内部に断熱コーティングされた紙材質からなるケースの内部に炭と焼き板及び炭に火を付けることができる固体燃料を保管して、使用時に簡便に取り出して用いることができるようにしたもので、構造が簡単で、製作が容易であり、ケースが紙材料からなり、竈の支持板は金属からなり、竈と焼き板は薄板のアルミニウムからなるので、廃棄する時、分別及びリサイクルが容易である。
【００１９】
また、本発明は炭を入れる竈の下端部に炭に火を付けることができる固体燃料が内蔵されていて簡便に火を付けることができる。
【００２０】
また、本発明は断熱材が塗布されたケースの両側面に空気吸入孔が形成されていて、炭に着火する時、対流現象によって、ケースの内部にある熱い空気が焼き板のある上側に移動するようになるので、熱效率を高めることができ、また熱損失を最小化することができる。
【００２１】
従って、本発明は野外で簡便に用いることができ、廃棄する時焼き板を分離・収集してリサイクルすることができるので、資源をリサイクルすることができるという有用な発明である。
【図面の簡単な説明】
【００２２】
【図１】本発明の全体分離状態を示した概略分解斜視図である。
【図２】本発明の使用状態として焼き板が焼き板の定置部に定置された状態を示した使用状態概略斜視図である。
【図３】本発明の使用状態を示した概略正断面図である。
【図４】本発明がケース内部に収納されている状態を示した概略側断面図である。
【図５】本発明の焼き板の強度補強装置を示した要部拡大断面図である。
【図６】本発明のケースの内部に断熱材がコーティングされた状態を示した要部拡大断面図である。
【発明を実施するための形態】
【００２３】
以下、添付された図面を参照して本発明の好ましい実施例を詳しく説明すれば次の通りである。
本発明を説明する際に、係わる公知機能あるいは構成に対する具体的な説明が本発明の要旨を不必要に曖昧にする可能性があると判断される場合、その詳細な説明は省略する。
【００２４】
図１及び図４のように、ケース１の側面の一方に形成された開閉部３を折り畳んで開く。この時、開閉部３は開閉部３を成形しているケース１が紙材質からなっていて開閉部３を外側に引きながら上側に展開して開くことができる。
【００２５】
このような状態で、固体燃料支持台７の中央の上部に形成された定置溝６に固体燃料が入る固体燃料筒８を載せる。
【００２６】
上記のように、固体燃料が載せられた固体燃料支持台７の上部に竈支持台９を載せるが、竈支持台９の内部中央部に竈１１を挿入し、竈１１の内部には支持板１２を挿入した後、支持台１２の上部に炭１３を載せる。
【００２７】
上記のように、炭１３が内蔵されている竈１１を竈支持台９の内部中央部に形成された竈挿入孔１０に挿入した後竈支持台９の上部に焼き板１４を載せる。
【００２８】
上記のように積層された固体燃料支持台７と竈支持台９及び焼き板１４をケース１の開閉部３を通じて内側保管部４に挿入した後、開閉部２を閉めて密閉されるようにし、この状態でケース１を包装すれば良い。
【００２９】
上記のような状態で焼き板を用いる場合、包装されているケース１を取り出して側面部に形成された開閉部３を開いた後、保管部４に保管されている固体燃料支持台７と竈支持台９及び焼き板１４を取り出す。
【００３０】
上記のような状態でケース１の上面に形成された切取線２に沿って切り取って定置部１５を構成する。
【００３１】
そして、定置部１５には竈支持台９を載せた後、竈支持台１５の中央部に形成された竈挿入孔１０に竈１１を載せて、再び竈には上面から垂直に多数の通孔が形成された支持板１２を結合し、支持板１２の上部に炭１３を載せた後、竈支持台９の上側に焼き板１４を置いて組み立てる。
【００３２】
上記のように、ケースの上部に形成された定置部１５に竈支持台９と焼き板１４を連結した後、ケース１の内部中央部に開閉部３を通じて固体燃料に火を付け、その後、固体燃料筒８が載せられた固体燃料支持台７を、開閉部３を通じて保管部４の中央部に押し入れてから開閉部３を閉める。
【００３３】
上述した炭に着火する方法は一つの例であり、固体燃料に火を付けてケース１の内部に入れた後、竈支持台９と竈１１及び焼き板１４を定置部１５に結合しても良い。
【００３４】
一方、本発明のケース１の内側の保管部４には熱からケース１を保護する断熱材１６がコーティングされて、固体燃料と火が付いた炭１３による熱気から紙材料からなるケース１を保護する。
【００３５】
上記のようにケース１の定置部１５に竈支持台９及び焼き板１４を連結すれば、固体燃料により竈１１の下端部に連結された支持板１２の貫通孔を通じて炭に火を付けることができる。
従って、ケース１の内部の熱気は対流現象によって竈１１と竈支持台９がある上側に上がるようになるので、竈支持台９と焼き板１４が短時間に加熱される。
そして、対流現象によって熱い空気がケース１の内部から上側に移動しながらケース１の下端部の内部に真空が発生するので、ケース１の両側面に前後に形成された空気流入孔５を通じて外部の空気が流入される。
【００３６】
一方、焼き板１４は上側中央部に凹凸部が形成され、凹凸部の外側全体面に所定間隔に突出部と長孔１７が形成されていて、肉類が加熱されながら発生する肉汁や油が炭火に落ちて煙が発生することを防止する。
【００３７】
また、長孔１７を焼き板１４の底面にパンチングして製作し、長孔１７の底面周縁部にリブ１８が形成されるようにすることで、焼き板１４の強度を補強するようになる。
【００３８】
以上、本発明による具体的な実施例について説明したが、本発明の範囲から逸脱しない範囲内で様々な変形が可能であることは当然である。
従って、本発明の範囲は説明された実施例に限定されて決められるのではなく、後述する特許請求の範囲だけではなく、この特許請求の範囲と均等なものなどによって定められるべきである。
【符号の説明】
【００３９】
１．ケース  
２．切取線  
３．開閉部
４．保管部  
５．空気流入孔  
６．定置溝  
７．固体燃料支持台  
８．固体燃料筒
９．竈支持台  
１０．竈挿入孔
１１．竈  
１２．支持板  
１３．炭  
１４．焼き板  
１５．定置部  
１６．断熱材  
１７．長孔  
１８．リブ
【図１】
2016525430.tif 000003
【図２】
2016525430.tif 000004
【図３】
2016525430.tif 000005
【図４】
2016525430.tif 000006
【図５】
2016525430.tif 000007
【図６】
2016525430.tif 000008
【国際調査報告】
2016525430.tif 000009
2016525430.tif 000010
2016525430.tif 000011
2016525430.tif 000012